(57)【要約】【課題】主に各種電子機器に用いられる電池ユニットに関し、小型化が図れ、確実な電子回路の保護が可能なものを提供することを目的とする。【解決手段】略Ｌ字状の保持体１７を配線基板１１上面に実装接続すると共に、この保持体１７の切込部１７Ｂに温度ヒューズ１３の端子１３Ａを圧着固定することによって、温度ヒューズ１３の端子１３Ａが保持体１７の切込部１７Ｂに圧着固定され、組立て時には温度ヒューズ１３に熱が加わらないため、端子１３Ａを短い寸法に形成でき、容易に小型化が図れ、確実な電子回路の保護が可能な電池ユニットを得ることができる。【選択図】図１
2010109219.tif 000002
【特許請求の範囲】
【請求項１】
複数の配線パターンが形成された配線基板と、電池電源の切換えを行うスイッチング素子と、このスイッチング素子近傍に装着された温度ヒューズからなり、略Ｌ字状の保持体を上記配線基板上面に実装接続すると共に、この保持体の切込部に上記温度ヒューズの端子を圧着固定した電池ユニット。
【発明の詳細な説明】
【技術分野】
【０００１】
本発明は、主に各種電子機器に用いられる電池ユニットに関するものである。
【背景技術】
【０００２】
近年、ノートパソコンやビデオカメラ等の携帯機器においては、充電可能な電池を装着すると共に、携帯時にはこの電池電源を用いて様々な操作が行われており、これらの機器に用いられる電池ユニットにおいても、安価で、確実な電子回路の保護を行えるものが求められている。
【０００３】
このような従来の電池ユニットについて、図６を用いて説明する。
【０００４】
図６は従来の電池ユニットの斜視図であり、同図において、１は上下面に複数の配線パターンやランド（図示せず）が形成された配線基板、２はＦＥＴやトランジスタ等のスイッチング素子で、配線基板１上面の複数のランドに、スイッチング素子２の複数の電極（図示せず）が半田付けによって実装接続され、スイッチング素子２が配線パターンを介して、電池（図示せず）や機器の電子回路（図示せず）に接続されている。
【０００５】
また、３は温度ヒューズで、スイッチング素子２左方近傍の配線基板１上面に載置され、左右両端から延出した一対の端子３Ａが半田４によって配線パターンに接続されて、スイッチング素子２と電池の間に接続されると共に、このスイッチング素子２と温度ヒューズ３の外周には、これらを覆うようにシリコーン等の熱伝導性樹脂５が塗布されて、電池ユニットが構成されている。
【０００６】
なお、このような電池ユニットを製作する際には、先ず、配線基板１上面の複数のランドにクリーム半田を印刷塗布した後、このランド上にスイッチング素子２や固定抵抗器等の電子部品の電極を各々載置し、加熱して配線基板１上面にスイッチング素子２や複数の電子部品を半田付けする。
【０００７】
そして、この後、温度ヒューズ３をスイッチング素子２の左方近傍に載置して、一対の端子３Ａを半田鏝等によってランドに半田付けし、半田４によって配線パターンに接続した後、スイッチング素子２と温度ヒューズ３の外周に液状の熱伝導性樹脂５を塗布し、これを乾燥させて電池ユニットが完成する。
【０００８】
以上の構成において、機器を携帯時には、スイッチング素子２を介して電池から電子回路に電源が供給されて、機器の様々な操作が行われると共に、電池に充電を行う際には、スイッチング素子２が切換えられ、このスイッチング素子２を介して充電器等から電池に充電が行われる。
【０００９】
また、このような機器の操作時や電池への充電時等に、万が一、回路の短絡等が生じスイッチング素子２に過電流が流れた場合には、この過電流によってスイッチング素子２が発熱し、この熱が熱伝導性樹脂５を介して温度ヒューズ３に伝わる。
【００１０】
そして、過電流がある程度以上流れ、温度ヒューズ３に伝わる熱が所定温度以上になった場合には、温度ヒューズ３内の可溶合金が溶断して、電池からのスイッチング素子２や電子回路への電源供給が遮断される。
【００１１】
つまり、電池とスイッチング素子２の間に接続された温度ヒューズ３が、過電流等によるスイッチング素子２の発熱を検出し、電池からの電源供給を遮断することによって、短絡等による機器の損傷を未然に防ぐように構成されているものであった。
【００１２】
なお、この出願の発明に関連する先行技術文献情報としては、例えば、特許文献１が知られている。
【特許文献１】特開平１１−３３０６６５号公報
【発明の開示】
【発明が解決しようとする課題】
【００１３】
しかしながら、上記従来の電池ユニットにおいては、温度ヒューズ３をランドに半田付けする際に、端子３Ａから伝わった半田鏝等の熱による温度ヒューズ３の溶断を防ぐため、端子３Ａをある程度長い寸法にする必要があり、全体の形状が大きなものとなって、小型化を図ることが困難であるという課題があった。
【００１４】
本発明は、このような従来の課題を解決するものであり、小型化が図れ、確実な電子回路の保護が可能な電池ユニットを提供することを目的とする。
【課題を解決するための手段】
【００１５】
上記目的を達成するために本発明は、略Ｌ字状の保持体を配線基板上面に実装接続すると共に、この保持体の切込部に温度ヒューズの端子を圧着固定して電池ユニットを構成したものであり、温度ヒューズの端子が保持体の切込部に圧着固定され、組立て時には温度ヒューズに熱が加わらないため、端子を短い寸法に形成でき、容易に小型化が図れ、確実な電子回路の保護が可能な電池ユニットを得ることができるという作用を有するものである。
【発明の効果】
【００１６】
以上のように本発明によれば、小型化が図れ、確実な電子回路の保護が可能な電池ユニットを実現することができるという有利な効果が得られる。
【発明を実施するための最良の形態】
【００１７】
以下、本発明の実施の形態について、図１〜図５を用いて説明する。
【００１８】
なお、背景技術の項で説明した構成と同一構成の部分には同一符号を付して、詳細な説明を簡略化する。
【００１９】
（実施の形態）
図１は本発明の一実施の形態による電池ユニットの斜視図であり、同図において、１１は紙フェノールやガラス入りエポキシ等の配線基板で、上下面には銅等によって、複数の配線パターンやランド（図示せず）が形成されると共に、ランドを除く全面をポリエステルやエポキシ等の絶縁層（図示せず）が覆っている。
【００２０】
そして、２はＦＥＴやトランジスタ等のスイッチング素子で、複数の電極（図示せず）が配線基板１１上面の複数のランドに半田付けによって実装接続されると共に、スイッチング素子２が配線パターンを介して、電池（図示せず）や機器の電子回路（図示せず）に接続されている。
【００２１】
また、１３は略円筒状のセラミック等の筒内に可溶合金が内蔵された温度ヒューズで、スイッチング素子２左方近傍の配線基板１１上面に載置されると共に、左右両端からは一対の端子１３Ａが延出している。
【００２２】
さらに、１７は略Ｌ字状でニッケルや錫めっき等が施された銅合金や鋼板等の保持体で、接続部１７Ａ下面が配線基板１１上面のランドに半田付けによって実装接続されると共に、切込部１７Ｂには温度ヒューズ１３の端子１３Ａ先端が挿通し、両端の腕部１７Ｃが各々内方へ折曲されて、端子１３Ａが切込部１７Ｂに圧着固定されている。
【００２３】
そして、この保持体１７や配線パターンを介して、温度ヒューズ１３がスイッチング素子２と電池の間に接続されると共に、スイッチング素子２と温度ヒューズ１３の外周には、これらを覆うようにシリコーン等の熱伝導性樹脂５が塗布されて、電池ユニットが構成されている。
【００２４】
なお、このような電池ユニットを製作する際には、先ず、配線基板１１上面の複数のランドにクリーム半田を印刷塗布した後、このランド上にスイッチング素子２や固定抵抗器等の電子部品の電極、及び保持体１７の接続部１７Ａを各々載置し、図２の分解斜視図に示すように、加熱して配線基板１１上面にスイッチング素子２や複数の電子部品、保持体１７を半田付けする。
【００２５】
そして、この後、図３の斜視図に示すように、端子１３Ａ先端を保持体１７の切込部１７Ｂに挿入して、温度ヒューズ１３をスイッチング素子２の左方近傍に載置した後、図４の斜視図に示すように、両端の腕部１７Ｃを内方へ折曲して、端子１３Ａを切込部１７Ｂに圧着固定する。
【００２６】
さらに、この温度ヒューズ１３とスイッチング素子２の外周に液状の熱伝導性樹脂５を塗布し、これを乾燥させて、図１に示したような電池ユニットが完成する。
【００２７】
以上の構成において、機器を携帯時には、スイッチング素子２を介して電池から電子回路に電源が供給されて、機器の様々な操作が行われると共に、電池に充電を行う際には、スイッチング素子２が切換えられ、このスイッチング素子２を介して充電器等から電池に充電が行われる。
【００２８】
また、このような機器の操作時や電池への充電時等に、万が一、回路の短絡等が生じスイッチング素子２に過電流が流れた場合には、この過電流によってスイッチング素子２が発熱し、この熱が熱伝導性樹脂５を介して温度ヒューズ１３に伝わる。
【００２９】
そして、過電流がある程度以上、例えば５Ａ以上の過電流が流れ、温度ヒューズ１３に伝わる熱が所定温度以上、例えば１３５℃以上になった場合には、温度ヒューズ１３内の可溶合金が溶断して、電池からのスイッチング素子２や電子回路への電源供給が遮断される。
【００３０】
つまり、過電流が流れスイッチング素子２が発熱した場合、この熱が熱伝導性樹脂５を介して温度ヒューズ１３に伝わり、電池とスイッチング素子２の間に接続された温度ヒューズ１３が、過電流等によるスイッチング素子２の発熱を検出し、電池からの電源供給を遮断することによって、短絡等による機器の損傷を未然に防ぐように構成されている。
【００３１】
また、この温度ヒューズ１３の端子１３Ａが、配線基板１１上面に接続部１７Ａ下面が実装接続された保持体１７の、切込部１７Ｂに圧着固定されて、スイッチング素子２と電池の間に接続されているため、端子１３Ａを短い寸法に形成でき、全体の小型化が容易に図れるようになっている。
【００３２】
すなわち、略Ｌ字状の保持体１７を配線基板１１上面に実装接続すると共に、この保持体１７の切込部１７Ｂ部に温度ヒューズ１３の端子１３Ａを挿通し、両端の腕部１７Ｃを内方へ折曲して圧着固定することによって、組立て時には半田鏝等の熱が温度ヒューズ１３に加わらないため、端子１３Ａを長い寸法にする必要はなく、全体の形状を小さく形成することが可能なように構成されている。
【００３３】
また、保持体１７の配線基板１１上面のランドへの接続固定も、特に組立て工数を増やすことなく、上述したように、ランド上に接続部１７Ａを載置し、他のスイッチング素子２や複数の電子部品と同時に、実装接続することができるようになっている。
【００３４】
さらに、組立て時に温度ヒューズ１３に熱が加わらないため、溶断温度のより低い温度ヒューズ１３、例えば１２０℃や１１０℃以上で溶断するものを用いることによって、スイッチング素子２の発熱をより低い温度で検出し、短絡等による機器の保護をさらに確実に行うこともできる。
【００３５】
なお、以上の説明では、図５（ａ）の部分正面図に示すように、保持体１７の切込部１７Ｂ部を略Ｕ字状に形成し、両端の腕部１７Ｃを内方へ折曲して温度ヒューズ１３の端子１３Ａを圧着固定する構成について説明したが、図５（ｂ）に示すように、端子１３Ａよりやや小さな直径の切込部１７Ｄを設け、これに腕部１７Ｃを外方へ広げながら端子１３Ａを圧入する構成や、図５（ｃ）に示すように、略Ｖ字状の切込部１７Ｅを形成し、これに端子１３Ａを圧入する構成としても、本発明の実施は可能である。
【００３６】
このように本実施の形態によれば、略Ｌ字状の保持体１７を配線基板１１上面に実装接続すると共に、この保持体１７の切込部１７Ｂに温度ヒューズ１３の端子１３Ａを圧着固定することによって、温度ヒューズ１３の端子１３Ａが保持体１７の切込部１７Ｂに圧着固定され、組立て時には温度ヒューズ１３に熱が加わらないため、端子１３Ａを短い寸法に形成でき、容易に小型化が図れ、確実な電子回路の保護が可能な電池ユニットを得ることができるものである。
【産業上の利用可能性】
【００３７】
本発明による電池ユニットは、小型化が図れ、確実な電子回路の保護が可能なものが得られ、各種電子機器の電池ユニット用として有用である。
【図面の簡単な説明】
【００３８】
【図１】本発明の一実施の形態による電池ユニットの斜視図
【図２】同分解斜視図
【図３】同斜視図
【図４】同斜視図
【図５】同部分正面図
【図６】従来の電池ユニットの斜視図
【符号の説明】
【００３９】
２  スイッチング素子
５  熱伝導性樹脂
１１  配線基板
１３  温度ヒューズ
１３Ａ  端子
１７  保持体
１７Ａ  接続部
１７Ｂ、１７Ｄ、１７Ｅ  切込部
１７Ｃ  腕部
【図１】
2010109219.tif 000003
【図２】
2010109219.tif 000004
【図３】
2010109219.tif 000005
【図４】
2010109219.tif 000006
【図５】
2010109219.tif 000007
【図６】
2010109219.tif 000008